(57)【要約】      （修正有）【課題】ディスプレイが３６０度回転可能な電子装置を提供する。【解決手段】電子装置は、ベース１０と、ベースに回転可能に設置されたディスプレイ２０と、回転部材１３と、を備える。回転部材は、回転部及び回転部に接続される装着部を備え、回転部は、ベースに回転可能に設置され、装着部には、装着軸が設置され、ディスプレイは、回転部材に対して、装着軸を中心として回転し、回転部材は、ベースに対して、第一位置及び第二位置の間で回転し、回転部材が第一位置に位置する際、装着軸は、ベースの上方に位置し、ディスプレイは、回転部材及びベースに対して、初期位置から第一オープン位置まで回転し、回転部材が第二位置に位置する際、装着軸はベースの下方に位置し、ディスプレイは、回転部材及びベースに対して、第一オープン位置から第二オープン位置まで回転する。【選択図】図４
2014154147.tif 000002
【特許請求の範囲】
【請求項１】
ベース及び前記ベースに回転可能に設置されたディスプレイを備える電子装置において、
前記電子装置は、更に回転部材を備え、前記回転部材は、回転部及び前記回転部に接続される装着部を備え、前記回転部は、前記ベースに回転可能に設置され、前記装着部には、装着軸が設置され、前記ディスプレイは、前記回転部材に対して、前記装着軸を中心として回転し、前記回転部材は、前記ベースに対して、第一位置及び第二位置の間で回転し、前記回転部材が第一位置に位置する際、前記装着軸は、前記ベースの上方に位置し、前記ディスプレイは、前記回転部材及び前記ベースに対して、初期位置から第一オープン位置まで回転し、前記回転部材が第二位置に位置する際、前記装着軸は前記ベースの下方に位置し、前記ディスプレイは、前記回転部材及び前記ベースに対して、前記第一オープン位置から第二オープン位置まで回転することを特徴とする電子装置。
【請求項２】
前記初期位置と前記第二オープン位置との間の回転角度は、０度〜３６０度であることを特徴とする請求項１に記載の電子装置。
【請求項３】
前記電子装置は、ロック構造を備え、前記ロック構造は、弾性的に前記ディスプレイに固定され、且つ前記装着軸と弾性的にロックされることを特徴とする請求項１または２に記載の電子装置。
【請求項４】
前記ディスプレイが前記回転部材に対して回転する過程において、前記装着軸は、前記ロック構造を押して、前記ロック構造が弾性変形し、前記回転部材の回転が停止する際、前記ロック構造は、弾性復帰して元の位置に戻り、且つ前記装着軸とロックされることを特徴とする請求項３に記載の電子装置。
【請求項５】
前記ロック構造は、ロック部材、固定部材及び弾性部材を備え、前記固定部材は、前記ディスプレイに固定され、前記弾性部材の一端は前記固定部材に固定され、前記弾性部材の他端は前記ロック部材に固定され、前記ロック部材は、前記装着軸と弾性的に固定されていることを特徴とする請求項３または４に記載の電子装置。
【請求項６】
前記ディスプレイは、蓋板及び前記蓋板に固定されたスクリーンを備え、前記ディスプレイは、スクリーンパネルを備え、前記固定部材は、前記スクリーンパネルに固定され、前記蓋板は、接続部を備え、前記接続部には、回転溝が設けられ、前記装着軸は、前記回転溝に収容されることを特徴とする請求項５に記載の電子装置。
【請求項７】
前記装着軸は、複数の側面を備え、隣接する２つの側面の間には１つの頂角が形成され、前記ロック部材には、前記頂角がロックされるための凹溝が設けられていることを特徴とする請求項５または６に記載の電子装置。
【請求項８】
前記ディスプレイは、前記回転部材に対して、前記初期位置から前記第二オープン位置まで回転する過程において、前記頂角は、順番に、前記凹溝にロックされることを特徴とする請求項７に記載の電子装置。
【請求項９】
ベース及び前記ベースに回転可能に設置されたディスプレイを備える電子装置において、
前記電子装置は、更に回転部材を備え、前記回転部材は、回転部及び前記回転部に接続される装着部を備え、前記回転部は１つの回転軸によって、回転可能に前記ベースに設置され、前記装着部には、装着軸が装着され、前記ディスプレイは、前記回転部材に対して、前記装着軸を中心として回転し、前記回転部材は、前記ベースに対して、前記回転軸を中心として回転し、前記装着軸は、前記回転軸と平行であることを特徴とする電子装置。
【請求項１０】
前記回転部材は、前記ベースに対して、前記ベースの一側及び別の一側との間で回転することを特徴とする請求項９に記載の電子装置。
【発明の詳細な説明】
【技術分野】
【０００１】
本発明は、電子装置に関し、特にディスプレイを備える電子装置に関するものである。
【背景技術】
【０００２】
従来のディスプレイを備える電子装置は、例えばノートパソコンにおいて、ディスプレイとベースとの間には、互いに回転できるよう複雑な１つの回転部材が設置されている。しかし、一般のディスプレイとベースとの回転角度が１８０度より小さいため、ディスプレイはベースに対して３６０度回転できない。
【発明の概要】
【発明が解決しようとする課題】
【０００３】
以上の問題点に鑑みて、本発明は、ディスプレイが３６０度回転できる電子装置を提供することを目的とする。
【課題を解決するための手段】
【０００４】
上記の課題を解決するために、本発明の電子装置は、ベース及び前記ベースに回転可能に設置されたディスプレイを備える。前記電子装置は、更に回転部材を備え、前記回転部材は、回転部及び前記回転部に接続される装着部を備え、前記回転部は、前記ベースに回転可能に設置され、前記装着部には、装着軸が設置され、前記ディスプレイは、前記回転部材に対して、前記装着軸を中心として回転し、前記回転部材は、前記ベースに対して、第一位置及び第二位置の間で回転し、前記回転部材が第一位置に位置する際、前記装着軸は、前記ベースの上方に位置し、前記ディスプレイは、前記回転部材及びベースに対して、初期位置から第一オープン位置まで回転し、前記回転部材が第二位置に位置する際、装着軸は前記ベースの下方に位置し、前記ディスプレイは、前記回転部材及び前記ベースに対して、前記第一オープン位置から第二オープン位置まで回転する。
【０００５】
上記の課題を解決するために、本発明の電子装置は、ベース及び前記ベースに回転可能に設置されたディスプレイを備える。前記電子装置は、更に回転部材を備え、前記回転部材は、回転部及び前記回転部に接続される装着部を備え、前記回転部は１つの回転軸によって、回転可能に前記ベースに設置され、前記装着部には、装着軸が装着され、前記ディスプレイは、前記回転部材に対して、前記装着軸を中心として回転し、前記回転部材は、前記ベースに対して、前記回転軸を中心として回転し、前記装着軸は、前記回転軸と平行である。
【発明の効果】
【０００６】
本発明の電子装置は、従来の電子装置に比べて、ディスプレイが回転部材に対して０度〜１８０度の間で回転する。回転部材が、第一位置に位置する際、ディスプレイは、初期位置から１８０度回転して、第一オープン位置に達し、回転部材が第二位置に位置する際、ディスプレイは、第一オープン位置から１８０度回転して第二オープン位置に達する。従って、ディスプレイは、ベースに対して、３６０度回転することができる。
【図面の簡単な説明】
【０００７】
【図１】本発明に係る電子装置の斜視図である。
【図２】図１に示した電子装置のＩＩ部分の拡大図である。
【図３】図１に示した電子装置のＩＩＩ部分の拡大図である。
【図４】図１に示した蓋体を取り外した後の電子装置の組立図である。
【図５】図１に示した電子装置の組立図である。
【図６】本発明に係る電子装置の回転部材が第一位置に位置し、ディスプレイが初期位置に位置している電子装置の組立図である。
【図７】本発明に係る電子装置の回転部材が第一位置に位置し、ディスプレイが第一オープン位置に位置している電子装置の別の組立図である。
【図８】本発明に係る電子装置の回転部材が第二位置に位置し、ディスプレイが第二オープン位置に位置している電子装置のもう１つの組立図である。
【発明を実施するための形態】
【０００８】
以下、図面に基づいて、本発明に係る電子装置について詳細に説明する。図１に示したように、電子装置１００は、ベース１０及びベース１０に回転可能に設置されたディスプレイ２０を備える。
【０００９】
図２に示したように、ベース１０は、底蓋１１と、底蓋１１に固定されたキーボード１２と、底蓋１１の一側に回転可能に設置された回転部材１３と、を備える。キーボード１２は、底蓋１１に固定される。回転部材１３は、装着部１３１及び回転部１３３を備える。回転部１３３は、回転軸（図示せず）によって、回転可能に底蓋１１に設置される。装着部１３１の両側には、それぞれ１つの装着軸１３５が固定されており、前記回転軸は、この装着軸１３５と平行に位置する。図６〜図８に示したように、回転部１３３は、回転軸の軸線を中心として回転して、底蓋１１に対して第一位置及び第二位置の間で回転する。回転部１３３が第一位置に位置する場合、装着部１３１は、底蓋１１の上方に位置する。回転部１３３が第二位置に位置する場合、装着部１３１は、底蓋１１の下方に位置する。本実施状態において、装着部１３１及び回転部１３３の切断面は円形であり、回転部１３３の直径は、装着部１３１の直径より大きい。本実施状態において、装着軸１３５は、正角柱である。好ましくは、装着軸１３５は、正六角柱である。装着軸１３５は、複数の頂角１３５１を備える。各頂角１３５１は、装着軸１３５の１つの側角及び側角と隣接する２つの側面によって形成される。本実施形態において、回転部材１３の切断面はひょうたん型である。
【００１０】
図３に示したように、ディスプレイ２０は、蓋板２１及び蓋板２１に固定されたスクリーン２３を備える。スクリーン２３は、スクリーンパネル２３１を備える。
【００１１】
蓋板２１は、１つの接続部２１１を備え、接続部２１１には、回転溝２１３が設けられている。
【００１２】
スクリーンパネル２３１には、１つのロック構造２５が固定されている。ロック構造２５は、１つの固定部材２５１、弾性部材２５３及びロック部材２５５を備える。固定部材２５１は、スクリーンパネル２３１に固定される。弾性部材２５３の一端は、固定部材２５１に固定され、他端は、ロック部材２５５に固定される。ロック部材２５５における固定部材２５１の反対側には、１つの凹溝２５６が設けられている。ロック部材２５５は、スクリーンパネル２３１から突出している。本実施形態において、弾性部材２５３は、圧縮コイルバネであり、凹溝２５６は三角形に凹んだ溝である。凹溝２５６の凹んだ角度は、頂角１３５１の角度に等しい。
【００１３】
図４及び図５に示したように、電子装置１００を組み立てる際、先ず、スクリーン２３を、接着剤等の固定方法によって、蓋板２１に固定する。次に、接続部２１１を、ロック構造２５にカバーさせて、ディスプレイ２０の装着が完了する。次いで、ディスプレイ２０を、ベース１０と隣接させて、装着軸１３５を回転溝２１３に収容し、頂角１３５１を、凹溝２５６の内部にロックさせる。これにより、ディスプレイ２０は装着軸１３５に対して回転できる。この際、ディスプレイ２０は、ベース１０をカバーし、且つベース１０と平行に位置し、ディスプレイ２０は、初期位置に位置し、回転部１３３は第一位置に位置する。
【００１４】
図６〜図８に示したように、回転部１３３が第一位置に位置する場合、ディスプレイ２０は、装着軸１３５に対して回転する。ディスプレイ２０が回転する過程において、ディスプレイ２０はロック部材２５５を連動して、装着軸１３５を中心として回転する。この際、頂角１３５１は、凹溝２５６の内壁を押すため、弾性部材２５３は圧縮されて変形し、凹溝２５６が、装着軸１３５の隣接する頂角１３５１と組み合うと、弾性部材２５３は弾性復帰して、隣接する頂角１３５１は、凹溝２５６内にロックされる。この際、ディスプレイ２０は、一定の角度開く。引き続き、ディスプレイ２０を回転させて、必要とする位置までディスプレイ２０を回転させることができる。或いはディスプレイ２０はベース１０に止められるまで回転することができる。この際、ディスプレイ２０は、初期位置に対して１８０度回転し、ディスプレイ２０は、ベース１０と平行に位置し、ディスプレイ２０は第一オープン位置に位置する。
【００１５】
ディスプレイ２０が第一オープン位置に位置する際、引き続きディスプレイ２０を回転させると、トルクの作用の下、ディスプレイ２０は、回転部材１３を連動して、回転軸を中心として回転し、回転部１３３が第二位置に達するまで回転する。この際、装着部１３１は、底蓋１１の下方に位置する。引き続きディスプレイ２０を回転させて、ディスプレイ２０を更に１８０度回転させることで、ディスプレイ２０はベース１０の下方に位置する。この際、ディスプレイ２０は、ベース１０とほぼ平行に位置し、ディスプレイ２０は第二オープン位置に位置する。第二オープン位置は、第一オープン位置に対して１８０度回転した位置である。第二オープン位置は、初期位置に対して３６０度回転した位置である。
【００１６】
また、回転部材１３、ロック構造２５及び装着軸１３５が組み合うことによって、ディスプレイ２０はベース１０に対して３６０度回転することができる。
【符号の説明】
【００１７】
１０  ベース
１１  底蓋
１２  キーボード
１３  回転部材
１３１  装着部
１３３  回転部
１３５  装着軸
１３５１  頂角
２０  ディスプレイ
２１  蓋板
２１１  接続部
２１３  回転溝
２３  スクリーン
２３１  スクリーンパネル
２５  ロック構造
２５１  固定部材
２５３  弾性部材
２５５  ロック部材
２５６  凹溝
【図１】
2014154147.tif 000003
【図２】
2014154147.tif 000004
【図３】
2014154147.tif 000005
【図４】
2014154147.tif 000006
【図５】
2014154147.tif 000007
【図６】
2014154147.tif 000008
【図７】
2014154147.tif 000009
【図８】
2014154147.tif 000010